(57)【要約】【課題】カバーの開操作が容易となる端子台を提供することを目的とする。【解決手段】端子台20は、複数に区画形成された端子部２を有する端子台本体１と、この端子部２の底面に設けられる端子片３と、端子片３に螺合する端子ねじ５とにより構成される。カバー10は、矩形板状のカバー本体11と、その両側面から垂下する側面保護部12とから構成される。各側面保護部12，12は、カバー本体11の短手方向一端から突出する枢支部12ａを有しており、これらの枢支部12ａ，12ａがケースカバー31ｂに回動自在に枢支される。カバー本体11の外部配線側端面13には、作業者に対してカバー10の開閉を誘導する開閉誘導部14が設けられる。【選択図】図１
2007287352.tif 000002
【特許請求の範囲】
【請求項１】
外部配線が接続可能な端子部と、この端子部を覆う開閉自在のカバーとを備えた端子台において、前記カバーの他の部分から区別される形状をなすと共に、前記カバーの開操作に適した形状をなす開閉誘導部を前記カバーに設けたことを特徴とする端子台。
【請求項２】
前記開閉誘導部は前記カバーから水平方向へ突出した指掛け部であることを特徴とする請求項１記載の端子台。
【請求項３】
前記開閉誘導部は前記カバーから垂直方向へ突出した摘まみ部であることを特徴とする請求項１記載の端子台。
【請求項４】
前記開閉誘導部は前記カバーに凹面又は凸面を形成してなる押さえ部であることを特徴とする請求項１記載の端子台。
【請求項５】
前記端子部に接続された前記外部配線の接続部の形状に沿うように形成された外部配線誘導部を前記端子部に設けたことを特徴とする請求項１乃至請求項４のいずれか１つに記載の端子台。
【発明の詳細な説明】
【技術分野】
【０００１】
本発明は、端子部に外部配線を接続可能であり、この端子部を覆う開閉自在のカバーを備えた端子台に関するものである。
【背景技術】
【０００２】
一般に、この種の端子台は例えば特許文献１に示すように、外部配線が接続可能に構成された端子部を覆って保護し、配線接続時等には接続を容易とするために開くことができる開閉自在のカバーを備えている。
【０００３】
図15は、従来の端子台の構造を示す斜視図である。１は端子台100の基部をなす端子台本体であって、例えば樹脂などの絶縁性材料で成形される。端子台本体１は間仕切壁９を設けることにより２つに区画形成された端子部２を有し、この端子部２の底面には、端子台本体１の内部配線と電気的に接続された導電性の端子片３が一面に敷設され、その略中央にねじ孔４が端子片３及び端子部２の底面を貫通して穿設されている。このねじ孔４に端子ねじ５が螺合される。端子部２の側面部材をなし、端子台本体１の両側から上方向へそれぞれ延出した側壁６，６間には例えば透明樹脂などからなる扁平板状のカバー101が回動可能に枢支されている。
【０００４】
カバー101は、通常時には端子部２の上部開口部を覆って保護するものであり、その短手方向一端寄りの両側面に同軸上となるよう設けられた凸部を端子部２の奥側に当たる側壁６，６に設けられた凹部に嵌め込まれて取り付けられている。カバー101が端子部２の上部開口部を覆っている状態が閉状態であり、外部配線（図示せず）を端子台１に接続する場合には、端子部２の前側開口部から指を掛けてカバー101を上方向へ回転させて図15に示すような開状態にする。そして、外部配線の先端に取り付けられた圧着端子を端子片３と端子ねじ５のねじ頭部との間に挟持して、端子ねじ５をねじ孔４に螺合締結して接続される。
【特許文献１】特開平８−２３６１７７号公報
【発明の開示】
【発明が解決しようとする課題】
【０００５】
しかし、上記従来の端子台では、カバー101のどの部分に指を掛けて開けばいいか一見して判別できず、作業者がカバー101の開閉に手間取ってしまうという問題があった。とりわけ、端子台の配線作業に慣れていない作業者は、カバー101を開く際に、誤った方向へ力を掛けてカバー101を損傷させてしまうのではないかという危惧の念を抱いて作業を行なっていた。
【０００６】
そこで本発明は上記問題点に鑑み、カバーの開操作が容易となる端子台を提供することを目的とする。
【課題を解決するための手段】
【０００７】
本発明における請求項１では、外部配線が接続可能な端子部と、この端子部を覆う開閉自在のカバーとを備えた端子台において、前記カバーの他の部分から区別される形状をなすと共に、前記カバーの開操作に適した形状をなす開閉誘導部を前記カバーに設けている。
【０００８】
本発明における請求項２の端子台では、前記開閉誘導部は前記カバーから水平方向へ突出した指掛け部である。
【０００９】
本発明における請求項３の端子台では、前記開閉誘導部は前記カバーから垂直方向へ突出した摘まみ部である。
【００１０】
本発明における請求項４の端子台では、前記開閉誘導部は前記カバーに凹面又は凸面を形成してなる押さえ部である。
【００１１】
このようにすると、作業者はカバーを開く際にどの箇所に力を加えて開操作を行なえばよいかが開閉誘導部により一見して判別できると共に、開閉誘導部に指を掛けてカバーを容易に開くことができる。
【００１２】
本発明における請求項５の端子台では、前記端子部に接続された前記外部配線の接続部の形状に沿うように形成された外部配線誘導部を前記端子部に設けている。
【００１３】
このようにすると、作業者は外部配線誘導部へ外部配線の接続部を嵌め込めばよいことが容易に理解でき、接続部を端子部に接続する際の位置あわせも容易となる。
【発明の効果】
【００１４】
本発明の請求項１乃至請求項４によると、カバーの開操作が容易となる端子台を提供することができる。
【００１５】
本発明の請求項５によると、端子部への外部配線の接続が容易となる。
【発明を実施するための最良の形態】
【００１６】
以下、添付図面を参照しながら、本発明における端子台の好ましい実施例を説明する。なお、従来例と同一箇所には同一符号を付し、共通する部分の説明は重複するため極力省略する。
【００１７】
本実施例では、一例として本発明における端子台をノイズフィルタに適用した場合について説明する。図１〜図３の各図において、２は本実施例における端子台20が適用されるノイズフィルタの筐体30で、この筐体30の内部には、周知のチョークコイルやコンデンサなどのノイズ除去回路が実装される。筐体30は、前述のように下面を開口したケース部材としての樹脂ケース31と、この樹脂ケース31の下面開口を塞ぐ板金部材としての底板板金32とにより構成され、全体として矩形箱型状に形成される。勿論、筐体30の形状は実施例中のものに限定されない。
【００１８】
前記底板板金32は、樹脂ケース31の長手方向両端面よりそれぞれ外方に延び出したフランジ状の端子基部33，33が形成され、これら端子基部33，33の略中央にはノイズフィルタの入力端子又は出力端子を備えた端子台20，20がそれぞれ設けられる。これら端子台20，20の片側脇にはＧＮＤ端子部34，34が対角線上に位置して形成されている。ＧＮＤ端子部34，34は、底板板金３の隅部を逆Ｌ字状に折り返して形成されたものであり、その略中央部には例えばバーリング加工されたねじ孔が開口形成され、ねじ35が螺合取り付けされている。
【００１９】
端子台20は、間仕切壁９を設けることにより複数（本実施例では２つ）に区画形成された端子部２を有する端子台本体１と、この端子部２の底面に設けられる導電性の端子片３と、端子片３の略中央に形成したねじ孔４に螺合する端子ねじ５とにより構成される。ここでいう端子台本体１は、絶縁性部材である例えば樹脂などにより前記樹脂ケース31と一体的に形成され、樹脂ケース31と共にノイズフィルタの外郭となる筐体30のケース部材を構成するものである。また、本実施例における樹脂ケース31は、筐体30の側面をなすケース本体31ａと、このケース本体31ａの上面開口部を覆うケースカバー31ｂとにより構成される。さらにこのケースカバー31ｂには、端子台本体１に形成された端子部２の上部開口部を覆う開閉可能なカバー10が設けられる。カバー10の構成詳細については後述する。なお、端子片３は、端子台本体１の内部配線ひいては筐体30内に収納された前記ノイズ除去回路と電気的に接続されている。
【００２０】
端子部２の側面部材をなし、端子台本体１の両側からそれぞれ長手方向へ延出した側壁６，６には、端子部２側となる内面側に、端子台本体１の内部に連通する係合溝７，７が側壁６の先端から基部方向へ向かってそれぞれ形成されている。この係合溝７は、端子ねじ５のねじ部に装着される座金８の一側に折り曲げ形成されたコンタクト片部を上下方向に移動可能に係合させるために形成されたものであり、これにより、配線作業時において、端子片３との間に隙間を形成しつつ、端子ねじ５が回動可能な状態で保持される。最終的に、端子ねじ５をねじ孔４に螺合締結して端子片３と端子ねじ５のねじ頭部との間には、外部配線の先端に取り付けられた接続部としての例えば圧着端子などの接続用端子が挟持されるが、本実施例の端子部２には、例えば丸形圧着端子など外部配線の接続用端子形状に沿うように端子部側壁に相当するケースカバー31ｂの一部を膨出させた外部配線誘導部としての接続用端子誘導部16が設けられている。接続用端子誘導部16を端子部２に設けることにより、作業者は接続用端子誘導部16へ接続用端子を嵌め込めばよいことが容易に理解でき、接続用端子のねじ挿通孔に端子ねじ５を挿通させる際の位置あわせも容易となる。
【００２１】
カバー10は、矩形板状のカバー本体11と、その両側面から垂下する側面保護部12とから構成され、例えば透明樹脂などを成形してなる。互いに対向する各側面保護部12，12は、カバー本体11の短手方向一端から突出するように延出された枢支部12ａを有している。これらの枢支部12ａ，12ａがケースカバー31ｂの一側端部において端子台本体１の両脇位置に合わせて形成されたスリット15，15に挿入された状態でカバー10が枢支部12ａ，12ａ先端部を軸として回動自在に枢支されている。各枢支部12ａ，12ａの対向面側には凸部が形成されており、ケースカバー31ｂの端部においてこのスリット15，15により浮き彫りにされた中央部分のスリット15の陥没面に形成された凹部に枢支部12ａ，12ａの前記凸部を嵌合させることによりカバー10が枢支される。ところで側壁６の端部外側は先端側が低くなるように一段下がった段差部６ａになっており、カバー10を閉じると側面保護部12が側壁６，６の段差部６ａ，６ａに覆い被さり、側面保護部12の内側に形成された係止突起25が側壁６の段差部６ａに形成された係止溝26に係合することによりカバー10の閉状態が保持されるよう構成されている。なお、27は、カバー10の開閉時に側面保護部12，12が弾性的に広がり易くなるように、係止突起25付近の側面保護部12からカバー本体11への角部に形成された切り欠きである。
【００２２】
カバー本体11におけるケースカバー31ｂと反対側の外部配線側端面13には、開閉誘導部14が設けられている。この開閉誘導部14は、作業者に対してカバー10の開閉を誘導するものであり、作業者がカバー10を開く際に例えば指を掛けたり摘まんだりするなどして開操作を行なうに適した形状及び箇所に設けられる。すなわち、開閉誘導部14は、作業者に対してカバー10を開く際に力を作用させる箇所を表示すると共に、作業者が実際にカバー10を開くときに、開閉誘導部14自体にカバー10の開方向へ力をかけやすくする作用効果を奏するものである。開閉誘導部14の具体的な構成を決定するに際しては次の２つの条件を満足する形態とすればよい。第１の条件は、開閉誘導部14をカバー10の他の部分から区別させて目立たせることであり、例えば、他の部分が直線的な形状である場合には開閉誘導部14のみを曲線的な形状とする、他の部分が曲線的な形状である場合には開閉誘導部14のみを直線的な形状とする、開閉誘導部14のみを凹凸にするなどである。第２の条件は、作業者の指からの力を開閉誘導部14を通じてカバー10へ大きく伝達させることであり、例えば、カバー10の開閉誘導部14部分を拡張させて作業者の指との接触面積を増加させる、開閉誘導部14部分に指が嵌り込む又は指に食い込むような凹凸をつけて指のズレを防止する、カバー10の開閉誘導部14部分表面を粗加工して摩擦力を増加させるなどである。
【００２３】
本実施例の端子台20は、枢支部12ａ，12ａを軸としてカバー10が回動開閉する構造になっているため、カバー10を開くためのトルクが最も大きくなるよう、回転中心たる枢支部12ａから最も離れたカバー本体11の外部配線側端面13に開閉誘導部14を設けており、開閉誘導部14の形状は作業者が指を掛けて開け易いように円弧状に若干窪んだ形状に形成されている。カバー10に関しては、この他にも種々の変形例が考えられる。以下、図４乃至図14に示したカバー10の各変形例について順に説明する。
【００２４】
図４においては、開閉誘導部14は、カバー本体11の外部配線側端面13に設けられており、凹面をなす矩形板状となるよう外部配線側端面13をカバー本体11に対して垂直上下方向へ突出させることにより形成されている。同図に示された変形例では、作業者は開閉誘導部14の凹面に指を押し当ててカバー10を開くこととなる。
【００２５】
図５においては、開閉誘導部14は、カバー本体11の外部配線側端面13に設けられており、外部配線側端面13をカバー本体11に対して水平方向へ円弧状に若干突出させることにより形成されている。同図に示された変形例では、作業者は開閉誘導部14が指に食い込むように押し当ててカバー10を開くこととなる。
【００２６】
図６においては、開閉誘導部14は、カバー本体11の外部配線側端面13に設けられており、外部配線側端面13をカバー本体11に対して水平方向へ矩形状に突出させることにより形成されている。同図に示された変形例では、作業者は開閉誘導部14の下面に指を引っ掛けてカバー10を開くこととなる。
【００２７】
図７においては、開閉誘導部14は、カバー本体11の外部配線側端面13に設けられており、外部配線側端面13の２箇所を円弧状に若干窪ませて凹部14ａを形成すると共に、当該凹部14ａの間をカバー本体11に対して水平方向へ細長く突出させて棒状部14ｂを形成することにより形成されている。同図に示された変形例では、作業者は開閉誘導部14の棒状部を２本の指を挟みこむようにして凹部14ａに指を押し当ててカバー10を開くこととなる。
【００２８】
図８においては、開閉誘導部14は、カバー本体11と側面保護部12，12との結合部にそれぞれ設けられており、当該結合部をカバー本体11に対して水平方向へ扇状に若干突出させる（カバー本体11を水平に延長させる）ことにより形成されている。同図に示された変形例では、作業者は開閉誘導部14，14を指に引っ掛けるように２本の指で掴んでカバー10を開くこととなる。
【００２９】
図９においては、開閉誘導部14は、カバー本体11の外部配線側端面13に設けられており、外部配線側端面13をカバー本体11に対して水平方向へ複数連続した円弧状に若干突出させることにより形成されている。同図に示された変形例では、作業者は開閉誘導部14が指に食い込むように押し当ててカバー10を開くこととなる。
【００３０】
図10においては、開閉誘導部14は、カバー本体11と側面保護部12，12との結合部にそれぞれ設けられており、当該結合部をカバー本体11に対して垂直方向へ矩形状に突出させる（側面保護部12を水平に延長させる）ことにより形成されている。同図に示された変形例では、作業者は開閉誘導部14，14に指を押し当てるように２本の指で掴んでカバー10を開くこととなる。
【００３１】
図11においては、開閉誘導部14は、カバー本体11の外部配線側端面13に設けられており、外部配線側端面13をカバー本体11に対して垂直上方向へ矩形状に突出させることにより形成されている。同図に示された変形例では、作業者は開閉誘導部14を指で摘まんでカバー10を開くこととなる。
【００３２】
図12においては、開閉誘導部14は、側面保護部12，12にそれぞれ設けられており、各側面保護部12を円弧状に若干窪ませることにより形成されている。同図に示された変形例では、作業者は開閉誘導部14，14を２本の指で掴んでカバー10を開くこととなる。
【００３３】
図13においては、開閉誘導部14は、カバー本体11と側面保護部12，12との結合部にそれぞれ設けられており、当該結合部をカバー本体11に対して水平方向へ矩形状に突出させる（カバー本体11を水平に延長させる）ことにより形成されている。同図に示された変形例では、作業者は開閉誘導部14，14の下面に指を引っ掛けてカバー10を開くこととなる。
【００３４】
図14においては、開閉誘導部14は、カバー本体11の外部配線側端面13に設けられており、外部配線側端面13をカバー本体11に対して垂直上方向へ突出させてから略直角に外方へ折り曲げた逆Ｌ字状に形成されている。同図に示された変形例では、作業者は開閉誘導部14を指で摘まむ又は開閉誘導部14に指を引っ掛けてカバー10を開くこととなる。
【００３５】
以上のように本実施例では、外部配線が接続可能な端子部２と、この端子部２を覆う開閉自在のカバー10とを備えた端子台20において、カバー10の他の部分から区別される形状をなすと共に、カバー10の開操作に適した形状をなす開閉誘導部14をカバー10に設けている。
【００３６】
また本実施例の端子台20では、開閉誘導部14はカバー10から水平方向へ突出した指掛け部である。
【００３７】
また本実施例の端子台20では、開閉誘導部14はカバー10から垂直方向へ突出した摘まみ部である。
【００３８】
また本実施例の端子台20では、開閉誘導部14はカバー10に凹面又は凸面を形成してなる押さえ部である。
【００３９】
このようにすると、作業者はカバー10を開く際にどの箇所に力を加えて開操作を行なえばよいかが開閉誘導部14により一見して判別できると共に、開閉誘導部14に指を掛けてカバー10を容易に開くことができる。従って、カバー10の開操作が容易となる端子台を提供することができる。
【００４０】
さらに本実施例の端子台20では、端子部２に接続された前記外部配線の接続部としての圧着端子の形状に沿うように形成された外部配線誘導部としての接続用端子誘導部16を端子部２に設けている。
【００４１】
このようにすると、作業者は接続用端子誘導部16へ外部配線の圧着端子を嵌め込めばよいことが容易に理解でき、圧着端子を端子部２に接続する際の位置あわせも容易となる。従って、端子部２への外部配線の接続が容易となる。
【００４２】
なお、本発明は、上記実施例に限定されるものではなく、本発明の趣旨を逸脱しない範囲で変更可能である。ノイズフィルタ用の端子台に限らずあらゆる機器の端子台に適用可能であり、もちろん端子台単体とすることもできる。また、端子部における外部配線の接続態様やカバー10の形状等に関しても特に限定されないことは言うまでもない。
【図面の簡単な説明】
【００４３】
【図１】本発明における端子台を備えたノイズフィルタの全体構成を示す斜視図である。
【図２】同上、端子台を備えたノイズフィルタの全体構成を示す正面図である。
【図３】同上、端子台を備えたノイズフィルタの全体構成を示す平面図である。
【図４】同上、端子台を構成するカバーの第１変形例を示す斜視図である。
【図５】同上、端子台を構成するカバーの第２変形例を示す斜視図である。
【図６】同上、端子台を構成するカバーの第３変形例を示す斜視図である。
【図７】同上、端子台を構成するカバーの第４変形例を示す斜視図である。
【図８】同上、端子台を構成するカバーの第５変形例を示す斜視図である。
【図９】同上、端子台を構成するカバーの第６変形例を示す斜視図である。
【図１０】同上、端子台を構成するカバーの第７変形例を示す斜視図である。
【図１１】同上、端子台を構成するカバーの第８変形例を示す斜視図である。
【図１２】同上、端子台を構成するカバーの第９変形例を示す斜視図である。
【図１３】同上、端子台を構成するカバーの第10変形例を示す斜視図である。
【図１４】同上、端子台を構成するカバーの第11変形例を示す斜視図である。
【図１５】従来例における端子台の構成を示す斜視図である。
【符号の説明】
【００４４】
２  端子部
10  カバー
14  開閉誘導部
16  接続用端子誘導部（外部配線誘導部）
20  端子台 
【図１】
2007287352.tif 000003
【図２】
2007287352.tif 000004
【図３】
2007287352.tif 000005
【図４】
2007287352.tif 000006
【図５】
2007287352.tif 000007
【図６】
2007287352.tif 000008
【図７】
2007287352.tif 000009
【図８】
2007287352.tif 000010
【図９】
2007287352.tif 000011
【図１０】
2007287352.tif 000012
【図１１】
2007287352.tif 000013
【図１２】
2007287352.tif 000014
【図１３】
2007287352.tif 000015
【図１４】
2007287352.tif 000016
【図１５】
2007287352.tif 000017